(57)【要約】【課題】  ユーザ好みの番組を自動的に検索して録画したり、そのお薦め度を教示する端末装置を実現する。【解決手段】  文字放送データを含む番組を受信し、受信した文字放送データにユーザ好みの番組を検索するキーワードが含まれていると、受信中の番組を録画し始め、番組終了するまで文字放送データに含まれるキーワードの出現回数を計数する。番組終了時に録画を停止し、計数したキーワードの出現回数に基づき「お薦め度」を設定する。設定された「お薦め度」とキーワードとの表示を指示し、かつ録画した記録データを指定する機能を割り当てたアイコンを待受画面に表示する。それがフォーカスされると、キーワードおよび「お薦め度」がポップアップ表示される。【選択図】  図１１
2005340880.tif 000002
【特許請求の範囲】
【請求項１】
文字放送データを含む番組を受信する受信手段と、
ユーザ好みの番組を検索するキーワードを記憶手段に登録しておき、前記受信手段により受信された番組の文字放送データに、当該記憶手段に登録されたキーワードが含まれているか否かを判定する判定手段と、
前記判定手段により文字放送データにキーワードが含まれると判定された場合、前記受信手段が受信する番組の記録を開始し、その番組が終了するまで記録する番組記録手段と、
前記番組記録手段が番組記録している間、前記受信手段により受信される番組の文字放送データに含まれるキーワードの出現回数を計数し、番組終了時に計数されたキーワードの出現回数に対応したお薦め度を設定する設定手段と、
前記設定手段により設定されたお薦め度および前記記憶手段に登録されたキーワードの画面表示を指示する機能が割り当てられたアイコンを画面に表示するアイコン表示手段と、
前記アイコン表示手段により画面表示されたアイコンの選択操作に応じて、当該アイコンに割り当てられた機能を実行し、前記設定手段により設定されたお薦め度および前記記憶手段に登録されたキーワードを画面表示するアイコン制御手段と
を具備することを特徴とする端末装置。
【請求項２】
文字放送データを含む番組を受信する受信手段と、
ユーザ好みの番組を検索するキーワードを記憶手段に登録する登録手段と、
前記受信手段により受信された番組の文字放送データに、前記記憶手段に登録されたキーワードが含まれているか否かを判定する判定手段と、
前記判定手段により文字放送データにキーワードが含まれると判定された場合、前記受信手段が受信する番組の記録を開始し、その番組が終了するまで記録する番組記録手段と、
前記番組記録手段が番組記録している間、前記受信手段により受信される番組の文字放送データに含まれるキーワードの出現回数を計数し、番組終了時に計数されたキーワードの出現回数に対応したお薦め度を設定する設定手段と、
前記設定手段により設定されたお薦め度および前記記憶手段に登録されたキーワードの画面表示を指示すると共に、前記番組記録手段により記録された番組を指定する機能が割り当てられたアイコンを画面に表示するアイコン表示手段と、
前記アイコン表示手段により画面表示されたアイコンの選択操作に応じて、当該アイコンに割り当てられた機能を実行し、前記設定手段により設定されたお薦め度および前記記憶手段に登録されたキーワードを画面表示すると共に、前記番組記録手段により記録された番組を指定するアイコン制御手段と
を具備することを特徴とする端末装置。
【請求項３】
文字放送データを含む番組を受信する受信手段と、
ユーザ好みの番組を検索するキーワードを記憶手段に登録する登録手段と、
前記受信手段により受信された番組の文字放送データに、前記記憶手段に登録されたキーワードが含まれているか否かを判定する判定手段と、
前記判定手段により文字放送データにキーワードが含まれると判定された場合、前記受信手段が受信する番組の記録を開始し、その番組が終了するまで記録する番組記録手段と、
前記番組記録手段が番組記録している間、前記受信手段により受信される番組の文字放送データに含まれるキーワードの出現回数を計数し、番組終了時に計数されたキーワードの出現回数に対応したお薦め度を設定する設定手段と、
前記設定手段により設定されたお薦め度および前記記憶手段に登録されたキーワードの画面表示を指示すると共に、前記番組記録手段により記録された番組を指定する機能が割り当てられたアイコンを画面に表示するアイコン表示手段と、
前記アイコン表示手段により画面表示されたアイコンの選択操作に応じて、当該アイコンに割り当てられた機能を実行し、前記設定手段により設定されたお薦め度および前記記憶手段に登録されたキーワードを画面表示すると共に、前記番組記録手段により記録された番組を指定するアイコン制御手段と、
前記アイコン制御手段により指定され、前記番組記録手段により記録された番組を、再生指示操作に応じて再生する番組再生手段と
を具備することを特徴とする端末装置。
【請求項４】
文字放送データを含む番組を受信する受信処理と、
ユーザ好みの番組を検索するキーワードをメモリ登録しておき、前記受信処理にて受信された番組の文字放送データに、当該メモリ登録されたキーワードが含まれているか否かを判定する判定処理と、
前記判定処理にて文字放送データにキーワードが含まれると判定された場合、前記受信処理が受信する番組の記録を開始し、その番組が終了するまで記録する番組記録処理と、
前記番組記録処理が番組記録している間、前記受信処理にて受信される番組の文字放送データに含まれるキーワードの出現回数を計数し、番組終了時に計数されたキーワードの出現回数に対応したお薦め度を設定する設定処理と、
前記設定処理にて設定されたお薦め度およびメモリ登録されたキーワードの画面表示を指示する機能が割り当てられたアイコンを画面に表示するアイコン表示処理と、
前記アイコン表示処理にて画面表示されたアイコンの選択操作に応じて、当該アイコンに割り当てられた機能を実行し、前記設定処理で設定されたお薦め度およびメモリ登録されたキーワードを画面表示するアイコン制御処理と
をコンピュータで実行させることを特徴とする端末処理プログラム。
【請求項５】
文字放送データを含む番組を受信する受信処理と、
ユーザ好みの番組を検索するキーワードをメモリ登録する登録処理と、
前記受信処理にて受信された番組の文字放送データに、前記登録処理にてメモリ登録されたキーワードが含まれているか否かを判定する判定処理と、
前記判定処理により文字放送データにキーワードが含まれると判定された場合、前記受信処理が受信する番組の記録を開始し、その番組が終了するまで記録する番組記録処理と、
前記番組記録処理が番組記録している間、前記受信処理にて受信される番組の文字放送データに含まれるキーワードの出現回数を計数し、番組終了時に計数されたキーワードの出現回数に対応したお薦め度を設定する設定処理と、
前記設定処理で設定されたお薦め度およびメモリ登録されたキーワードの画面表示を指示すると共に、前記番組記録処理により記録された番組を指定する機能が割り当てられたアイコンを画面に表示するアイコン表示処理と、
前記アイコン表示処理により画面表示されたアイコンの選択操作に応じて、当該アイコンに割り当てられた機能を実行し、前記設定処理で設定されたお薦め度およびメモリ登録されたキーワードを画面表示すると共に、前記番組記録処理により記録された番組を指定するアイコン制御処理と
をコンピュータで実行させることを特徴とする端末処理プログラム。
【請求項６】
文字放送データを含む番組を受信する受信処理と、
ユーザ好みの番組を検索するキーワードをメモリ登録する登録処理と、
前記受信処理にて受信された番組の文字放送データに、前記登録処理にてメモリ登録されたキーワードが含まれているか否かを判定する判定処理と、
前記判定処理により文字放送データにキーワードが含まれると判定された場合、前記受信処理が受信する番組の記録を開始し、その番組が終了するまで記録する番組記録処理と、
前記番組記録処理が番組記録している間、前記受信処理にて受信される番組の文字放送データに含まれるキーワードの出現回数を計数し、番組終了時に計数されたキーワードの出現回数に対応したお薦め度を設定する設定処理と、
前記設定処理で設定されたお薦め度およびメモリ登録されたキーワードの画面表示を指示すると共に、前記番組記録処理にて記録された番組を指定する機能が割り当てられたアイコンを画面に表示するアイコン表示処理と、
前記アイコン表示処理にて画面表示されたアイコンの選択操作に応じて、当該アイコンに割り当てられた機能を実行し、前記設定処理で設定されたお薦め度およびメモリ登録されたキーワードを画面表示すると共に、前記番組記録処理により記録された番組を指定するアイコン制御処理と、
前記アイコン制御処理にて指定され、前記番組記録処理で記録された番組を、再生指示操作に応じて再生する番組再生処理と
をコンピュータで実行させることを特徴とする端末処理プログラム。
【発明の詳細な説明】
【技術分野】
【０００１】
本発明は、放送を受信する機能を備えた端末装置および端末処理プログラムに関する。
【背景技術】
【０００２】
地上デジタルテレビ放送では、１チャンネル当り約６ＭＨｚの伝送帯域幅を１３のセグメント（ＯＦＤＭセグメント）に分割し、その中央の１セグメントに移動受信用に割当てており、近年、そのセグメントで放送される番組を受信する機能を搭載した携帯電話などの端末装置が開発されている。この種の装置として、例えば特許文献１には、番組視聴処理中に携帯電話部で着信が生じて通話を開始した場合、視聴中の番組の符号化映像・音声データをＳＤＲＡＭに録画する処理を開始し、通話が終了すると、録画処理を続けながら、ＳＤＲＡＭから通話開始時点の符号化映像・音声データを読み出して追いかけ再生するものが開示されている。
【０００３】
【特許文献１】特開２００３−１１１００４号公報
【発明の開示】
【発明が解決しようとする課題】
【０００４】
ところで、上記特許文献１に開示の端末装置は、着信時に番組視聴を中断して番組録画に移行する構成なので、ユーザ好みの番組を自動的に検索して録画したり、その録画した番組のお薦め度を教示することができない、という問題がある。
そこで本発明は、このような事情に鑑みてなされたもので、ユーザ好みの番組を自動的に検索して録画したり、その録画した番組のお薦め度を教示することができる端末装置および端末処理プログラムを提供することを目的としている。
【課題を解決するための手段】
【０００５】
上記目的を達成するため、請求項１に記載の発明では、文字放送データを含む番組を受信する受信手段と、ユーザ好みの番組を検索するキーワードを記憶手段に登録しておき、前記受信手段により受信された番組の文字放送データに、当該記憶手段に登録されたキーワードが含まれているか否かを判定する判定手段と、前記判定手段により文字放送データにキーワードが含まれると判定された場合、前記受信手段が受信する番組の記録を開始し、その番組が終了するまで記録する番組記録手段と、前記番組記録手段が番組記録している間、前記受信手段により受信される番組の文字放送データに含まれるキーワードの出現回数を計数し、番組終了時に計数されたキーワードの出現回数に対応したお薦め度を設定する設定手段と、前記設定手段により設定されたお薦め度および前記記憶手段に登録されたキーワードの画面表示を指示する機能が割り当てられたアイコンを画面に表示するアイコン表示手段と、前記アイコン表示手段により画面表示されたアイコンの選択操作に応じて、当該アイコンに割り当てられた機能を実行し、前記設定手段により設定されたお薦め度および前記記憶手段に登録されたキーワードを画面表示するアイコン制御手段とを具備することを特徴とする。
【０００６】
請求項２に記載の発明では、文字放送データを含む番組を受信する受信手段と、ユーザ好みの番組を検索するキーワードを記憶手段に登録する登録手段と、前記受信手段により受信された番組の文字放送データに、前記記憶手段に登録されたキーワードが含まれているか否かを判定する判定手段と、前記判定手段により文字放送データにキーワードが含まれると判定された場合、前記受信手段が受信する番組の記録を開始し、その番組が終了するまで記録する番組記録手段と、前記番組記録手段が番組記録している間、前記受信手段により受信される番組の文字放送データに含まれるキーワードの出現回数を計数し、番組終了時に計数されたキーワードの出現回数に対応したお薦め度を設定する設定手段と、前記設定手段により設定されたお薦め度および前記記憶手段に登録されたキーワードの画面表示を指示すると共に、前記番組記録手段により記録された番組を指定する機能が割り当てられたアイコンを画面に表示するアイコン表示手段と、前記アイコン表示手段により画面表示されたアイコンの選択操作に応じて、当該アイコンに割り当てられた機能を実行し、前記設定手段により設定されたお薦め度および前記記憶手段に登録されたキーワードを画面表示すると共に、前記番組記録手段により記録された番組を指定するアイコン制御手段とを具備することを特徴とする。
【０００７】
請求項３に記載の発明では、文字放送データを含む番組を受信する受信手段と、ユーザ好みの番組を検索するキーワードを記憶手段に登録する登録手段と、前記受信手段により受信された番組の文字放送データに、前記記憶手段に登録されたキーワードが含まれているか否かを判定する判定手段と、前記判定手段により文字放送データにキーワードが含まれると判定された場合、前記受信手段が受信する番組の記録を開始し、その番組が終了するまで記録する番組記録手段と、前記番組記録手段が番組記録している間、前記受信手段により受信される番組の文字放送データに含まれるキーワードの出現回数を計数し、番組終了時に計数されたキーワードの出現回数に対応したお薦め度を設定する設定手段と、前記設定手段により設定されたお薦め度および前記記憶手段に登録されたキーワードの画面表示を指示すると共に、前記番組記録手段により記録された番組を指定する機能が割り当てられたアイコンを画面に表示するアイコン表示手段と、前記アイコン表示手段により画面表示されたアイコンの選択操作に応じて、当該アイコンに割り当てられた機能を実行し、前記設定手段により設定されたお薦め度および前記記憶手段に登録されたキーワードを画面表示すると共に、前記番組記録手段により記録された番組を指定するアイコン制御手段と、前記アイコン制御手段により指定され、前記番組記録手段により記録された番組を、再生指示操作に応じて再生する番組再生手段とを具備することを特徴とする。
【０００８】
請求項４に記載の発明では、文字放送データを含む番組を受信する受信処理と、ユーザ好みの番組を検索するキーワードをメモリ登録しておき、前記受信処理にて受信された番組の文字放送データに、当該メモリ登録されたキーワードが含まれているか否かを判定する判定処理と、前記判定処理にて文字放送データにキーワードが含まれると判定された場合、前記受信処理が受信する番組の記録を開始し、その番組が終了するまで記録する番組記録処理と、前記番組記録処理が番組記録している間、前記受信処理にて受信される番組の文字放送データに含まれるキーワードの出現回数を計数し、番組終了時に計数されたキーワードの出現回数に対応したお薦め度を設定する設定処理と、前記設定処理にて設定されたお薦め度およびメモリ登録されたキーワードの画面表示を指示する機能が割り当てられたアイコンを画面に表示するアイコン表示処理と、前記アイコン表示処理にて画面表示されたアイコンの選択操作に応じて、当該アイコンに割り当てられた機能を実行し、前記設定処理で設定されたお薦め度およびメモリ登録されたキーワードを画面表示するアイコン制御処理とをコンピュータで実行させることを特徴とする。
【０００９】
請求項５に記載の発明では、文字放送データを含む番組を受信する受信処理と、ユーザ好みの番組を検索するキーワードをメモリ登録する登録処理と、前記受信処理にて受信された番組の文字放送データに、前記登録処理にてメモリ登録されたキーワードが含まれているか否かを判定する判定処理と、前記判定処理により文字放送データにキーワードが含まれると判定された場合、前記受信処理が受信する番組の記録を開始し、その番組が終了するまで記録する番組記録処理と、前記番組記録処理が番組記録している間、前記受信処理にて受信される番組の文字放送データに含まれるキーワードの出現回数を計数し、番組終了時に計数されたキーワードの出現回数に対応したお薦め度を設定する設定処理と、前記設定処理で設定されたお薦め度およびメモリ登録されたキーワードの画面表示を指示すると共に、前記番組記録処理により記録された番組を指定する機能が割り当てられたアイコンを画面に表示するアイコン表示処理と、前記アイコン表示処理により画面表示されたアイコンの選択操作に応じて、当該アイコンに割り当てられた機能を実行し、前記設定処理で設定されたお薦め度およびメモリ登録されたキーワードを画面表示すると共に、前記番組記録処理により記録された番組を指定するアイコン制御処理とをコンピュータで実行させることを特徴とする。
【００１０】
請求項６に記載の発明では、文字放送データを含む番組を受信する受信処理と、ユーザ好みの番組を検索するキーワードをメモリ登録する登録処理と、前記受信処理にて受信された番組の文字放送データに、前記登録処理にてメモリ登録されたキーワードが含まれているか否かを判定する判定処理と、前記判定処理により文字放送データにキーワードが含まれると判定された場合、前記受信処理が受信する番組の記録を開始し、その番組が終了するまで記録する番組記録処理と、前記番組記録処理が番組記録している間、前記受信処理にて受信される番組の文字放送データに含まれるキーワードの出現回数を計数し、番組終了時に計数されたキーワードの出現回数に対応したお薦め度を設定する設定処理と、前記設定処理で設定されたお薦め度およびメモリ登録されたキーワードの画面表示を指示すると共に、前記番組記録処理にて記録された番組を指定する機能が割り当てられたアイコンを画面に表示するアイコン表示処理と、前記アイコン表示処理にて画面表示されたアイコンの選択操作に応じて、当該アイコンに割り当てられた機能を実行し、前記設定処理で設定されたお薦め度およびメモリ登録されたキーワードを画面表示すると共に、前記番組記録処理により記録された番組を指定するアイコン制御処理と、前記アイコン制御処理にて指定され、前記番組記録処理で記録された番組を、再生指示操作に応じて再生する番組再生処理とをコンピュータで実行させることを特徴とする。
【発明の効果】
【００１１】
請求項１、４に記載の発明によれば、ユーザ好みの番組を検索するキーワードを登録しておき、登録したキーワードが受信した番組の文字放送データに含まれていると、受信している番組の記録を開始し、番組終了するまで記録する。番組記録している間、受信する番組の文字放送データに含まれるキーワードの出現回数を計数し、番組終了時に計数されたキーワードの出現回数に対応したお薦め度を設定する。そして、設定されたお薦め度および登録されたキーワードの画面表示を指示する機能が割り当てられたアイコンを画面に表示し、このアイコンの選択操作に応じて、当該アイコンに割り当てられた機能を実行して、お薦め度およびキーワードを画面表示するので、ユーザ好みの番組を自動的に検索して録画したり、その録画した番組のお薦め度を教示することができる。
【００１２】
請求項２、５に記載の発明によれば、ユーザ好みの番組を検索するキーワードを登録しておき、登録したキーワードが受信した番組の文字放送データに含まれていると、受信している番組の記録を開始し、番組終了するまで記録する。番組記録している間、受信する番組の文字放送データに含まれるキーワードの出現回数を計数し、番組終了時に計数されたキーワードの出現回数に対応したお薦め度を設定する。そして、設定されたお薦め度および登録されたキーワードの画面表示を指示すると共に、記録された番組を指定する機能が割り当てられたアイコンを画面に表示し、このアイコンの選択操作に応じて、当該アイコンに割り当てられた機能を実行して、お薦め度およびキーワードを画面表示すると共に、記録された番組を指定するので、ユーザ好みの番組を自動的に検索して録画したり、その録画した番組のお薦め度を教示することができ、しかも自動的に検索して録画したユーザ好みの番組を指定することができる。
【００１３】
請求項３、６に記載の発明によれば、ユーザ好みの番組を検索するキーワードを登録しておき、登録したキーワードが受信した番組の文字放送データに含まれていると、受信している番組の記録を開始し、番組終了するまで記録する。番組記録している間、受信する番組の文字放送データに含まれるキーワードの出現回数を計数し、番組終了時に計数されたキーワードの出現回数に対応したお薦め度を設定する。そして、設定されたお薦め度および登録されたキーワードの画面表示を指示すると共に、記録された番組を指定する機能が割り当てられたアイコンを画面に表示し、このアイコンの選択操作に応じて、当該アイコンに割り当てられた機能を実行して、お薦め度およびキーワードを画面表示すると共に、記録された番組を指定し、それを再生指示操作に応じて再生するので、ユーザ好みの番組を自動的に検索して録画したり、その録画した番組のお薦め度を教示することができ、しかも自動的に検索して録画したユーザ好みの番組をワンタッチ操作で再生させることができる。
【発明を実施するための最良の形態】
【００１４】
以下、図面を参照して本発明の実施の形態について説明する。
Ａ．構成
図１は本発明の実施の一形態である携帯電話１０の構成を示すブロック図である。この図において、通信処理部１０１は、アンテナＡＮＴ１を介して受信復調した音声データを制御部１０２に出力する一方、制御部１０２から供給される音声データを変調して得た送信信号を高周波増幅してアンテナＡＮＴ１から送出する。制御部１０２は、ＣＰＵおよびベースバンド信号処理用のＤＳＰ等から構成され、操作部１０５のスイッチ操作に応じて携帯電話機能に係わる処理や、受信部１０９および録画再生部１１０の入出力を制御する。携帯電話機能に係わる処理として、制御部１０２は、音声信号処理および通信制御処理を実行する。音声信号処理では、通信処理部１０１が発生する通話中の音声データを音声信号にＤ／Ａ変換してスピーカ１０７から発音させたり、マイク１０６から出力される音声信号を音声データにＡ／Ｄ変換して通信処理部１０１に供給する。通信制御処理の概略については、後述するメインルーチンの動作説明で述べる。
【００１５】
ＲＯＭ１０３はプログラムエリアおよびデータエリアを備える。ＲＯＭ１０３のプログラムエリアには、制御部１０２が実行する音声信号処理や通信制御処理のプログラムの他、後述するメインルーチン、待受画面表示処理、キーワード登録処理および着信報知処理の各プログラムが記憶される。ＲＯＭ１０３のデータエリアには、所定のプログラムにより参照される制御データの他、後述の各種画面（待受画面、番号入力画面、キーワード登録画面およびポップアップ画面）や各種アイコンを形成する画面データが記憶される。
【００１６】
ＲＡＭ１０４は、制御部１０２が実行する各種処理に使われるフラグやレジスタデータを一時記憶するワークエリアの他、着信履歴や発信履歴などを記憶する加入者情報エリア、ユーザ好みの番組を検索するためのキーワード（後述する）が登録されるキーワード登録エリア、登録されたキーワードに対応するアイコンの属性を記憶するアイコン属性記憶エリアおよび待受画面などの各種表示画面を形成する表示エリア等を備える。
なお、アイコン属性記憶エリアに記憶される属性は、表示属性データと機能属性データとから構成される。表示属性データは、アイコン表示位置やアイコンを形成する画像データを指定する。機能属性データは、アイコンに対応付けられたキーワードの他、後述するお薦め度および記録データ（ユーザ好みの番組を録画した素材）を指定するデータから構成される。
【００１７】
操作部１０５は、装置電源をオンオフする電源スイッチ、受信部１０９をオンオフする受信スイッチおよび録画再生部１１０に再生開始・停止を指示する再生スイッチの他、携帯電話機能に係わる各種スイッチ（例えば、通話開始／終了時に操作されるオフフック／オンフックスイッチ、ダイヤルスイッチと兼用の文字入力スイッチ、機能スイッチ、カーソルスイッチ、決定スイッチおよびクリアスイッチ等）を有する。表示部１０８はカラー液晶パネルおよび表示ドライバから構成され、制御部１０２の制御の下に待受画面など各種画面を表示する。
【００１８】
受信部１０９は、受信スイッチのオン操作に応じて制御部１０２が発生する動作指示に従い受信動作し始め、ユーザ指定のチャンネルの放送をアンテナＡＮＴ２を介して受信してＯＦＤＭ復調し、これより得られるトランスポートストリーム信号から番組パケット（ＭＰＥＧデータ）を分離抽出する受信処理を実行する。また、受信部１０９は、上記の受信処理で得た番組パケットから文字放送データを復号し、その文字放送データに登録キーワード（後述する）が含まれていると、ユーザ好みの番組と判断して当該番組パケットから復号して得る映像／音声データの録画を録画再生部１１０に指示する。これにより、録画再生部１１０はユーザ好みの番組を録画し、その録画した素材を記録データとして記録保存する。
【００１９】
さらに、受信部１０９では、録画開始指示したユーザ好みの番組が終了するまで当該番組の文字放送データに含まれる登録キーワードの出現回数をカウントしておき、番組終了時に録画停止を録画再生部１１０に指示すると共に、カウントした登録キーワードの出現回数に対応した「お薦め度」を設定する。また、受信部１０９は、ユーザ好みの番組の録画停止を指示した時点で、表示属性データおよび機能属性データをＲＡＭ１０４のアイコン属性記憶エリアにストアする。つまり、登録キーワードに対応付けられたアイコンを指定する表示属性データと、設定した「お薦め度」および記録データ（ユーザ好みの番組を録画した素材）を指定するデータから構成される機能属性データとをアイコン属性記憶エリアにストアする。録画再生部１１０は、受信部１０９の指示に従い、当該受信部１０９から出力される素材（映像／音声データ）を記録データとして記録保存し、制御部１０２の指示に応じて記録データを再生する。
【００２０】
Ｂ．動作
次に、図２〜図１１を参照して本発明の要旨に係わる動作を説明する。以下では、最初に制御部１０２が実行するメインルーチン、待受画面表示処理、キーワード登録処理および着信報知処理の各動作を説明した後、続いて受信部１０９が実行する受信部処理について説明する。
【００２１】
（１）メインルーチンの動作  
携帯電話１０の電源スイッチが操作されてパワーオンされると、制御部１０２は図２〜図４に図示するメインルーチンを実行する。メインルーチンが実行されると、図２に図示するステップＳＡ１に処理を進め、携帯電話１０の各部を初期化するイニシャライズを実行した後、ステップＳＡ２に進み、待受画面表示処理を実行する。待受画面表示処理では、後述するように、待受画面を表示部１０８に表示する一方、例えば図１１に図示する一例のように、待受画面のアイコン表示エリアＩＤＥに表示されるアイコンをフォカースし、当該アイコンに割り当てられた内容をポップアップ画面ＰＵで表示するようになっている。
【００２２】
次いで、ステップＳＡ３以降では、操作部１０５に配設されるオフフックスイッチ、オンフックスイッチ、受信スイッチおよび機能スイッチの操作に対応した処理と、待受画面のアイコン操作に対応した処理とを実行する。以下、各操作に対応した処理毎の動作に分けて説明する。
【００２３】
ａ．オフフックスイッチがオン操作された場合
ユーザが通話を開始すべくオフフックスイッチをオン操作したとする。そうすると、ステップＳＡ３の判断結果は「ＹＥＳ」となり、ステップＳＡ４に進む。ステップＳＡ４〜ＳＡ５では、表示部１０８に表示される画面を待受画面から番号入力画面に変更し、ダイヤルスイッチの操作に応じて入力された電話番号を番号入力画面に表示しつつレジスタセットする。続いて、ステップＳＡ６〜ＳＡ７では、レジスタセットされた電話番号に基づき発信および呼出報知を実行する。呼出報知に応じて着呼側がオフフックして回線が接続されると、ステップＳＡ８の判断結果が「ＹＥＳ」になり、ステップＳＡ９に進み、通話処理を実行する。以後、オンフックスイッチがオン操作されるまでステップＳＡ９の通話処理を継続する。
【００２４】
ｂ．オンフックスイッチがオン操作された場合
上記ステップＳＡ９の通話処理中にユーザがオンフックスイッチをオン操作したとする。そうすると、ステップＳＡ１０の判断結果が「ＹＥＳ」となり、ステップＳＡ１１に進み、回線を切る終話処理を実行した後、上述のステップＳＡ２に処理を戻して待受画面表示状態に復帰する。
【００２５】
ｃ．受信スイッチがオン操作された場合
ユーザが受信スイッチをオン操作すると、ステップＳＡ１２の判断結果が「ＹＥＳ」になり、ステップＳＡ１３に進み、受信部１０９にオン設定を指示した後、上述のステップＳＡ２に処理を戻して待受画面表示状態に復帰する。なお、制御部１０２によりオン設定が指示された受信部１０９は、後述する受信部処理（図８〜図９）を実行する。
【００２６】
ｄ．受信スイッチがオフ操作された場合
ユーザが受信スイッチをオフ操作すると、ステップＳＡ１４の判断結果が「ＹＥＳ」になり、ステップＳＡ１５に進み、受信部１０９にオフ設定を指示した後、上述のステップＳＡ２に処理を戻して待受画面表示状態に復帰する。なお、制御部１０２によりオフ設定が指示された受信部１０９は、後述する受信部処理（図８〜図９）をアボートする。
【００２７】
ｅ．機能スイッチがオン操作された場合
ユーザが機能スイッチをオン操作すると、図３に示すステップＳＡ１６の判断結果が「ＹＥＳ」になり、ステップＳＡ１７に進む。ステップＳＡ１７では、ＲＯＭ１０３から読み出した機能リスト画面データに基づき機能リスト画面を表示部１０８に表示する。機能リスト画面とは、図示していないが、携帯電話１０が備える各種機能を一覧表示し、その内から選択した機能の内容を設定するための画面である。機能リスト画面が表示されると、ステップＳＡ１８に進み、機能リスト画面に一覧表示される各種設定項目の内、例えば画面の最上位行に位置する設定項目にフォーカスさせる。なお、フォーカスとは、例えば表示色を異ならせて選択状態を表示する処理を指す。そして、ステップＳＡ１９〜ＳＡ２２では、クリアスイッチ、カーソルスイッチおよび決定スイッチのオン操作に応じた処理を実行する。
【００２８】
すなわち、機能設定を取り止めるべくクリアスイッチをオン操作した場合には、ステップＳＡ２２の判断結果が「ＹＥＳ」になり、上述のステップＳＡ２（図２参照）に処理を戻して待受画面表示状態に復帰する。一方、所望の項目（機能）をフォーカスさせるべくカーソルスイッチをオン操作すると、ステップＳＡ１９の判断結果が「ＹＥＳ」になり、ステップＳＡ２０に進み、フォーカス位置を移動させる。そして、所望の項目（機能）がフォーカスされた状態で決定スイッチをオン操作すると、ステップＳＡ２１の判断結果が「ＹＥＳ」になり、ステップＳＡ２３に進む。
【００２９】
ステップＳＡ２３では、フォーカス位置が「キーワード登録」であるかどうかを判断する。フォーカス位置が「キーワード登録」以外であると、判断結果は「ＮＯ」となり、ステップＳＡ２４に進み、フォーカスされた項目に対応した機能設定を行う、その他の処理を実行した後、上述のステップＳＡ１７に処理を戻して機能リスト画面表示状態に復帰させる。
一方、フォーカス位置が「キーワード登録」であると、上記ステップＳＡ２３の判断結果が「ＹＥＳ」になり、ステップＳＡ２５を介してキーワード登録処理を実行する。後述するように、キーワード登録処理では、ユーザ好みの番組を検索するためのキーワードを登録する。そして、キーワード登録処理を終えると、上述のステップＳＡ１７に処理を戻して機能設定画面表示状態に復帰させる。
【００３０】
ｆ．待受画面のアイコン操作に対応した処理
上述した各スイッチ（オフフックスイッチ、受信スイッチおよび機能スイッチ）がいずれも操作されない場合には、図４に図示するステップＳＡ２６に進み、記録データの有無、すなわちユーザ好みの番組が録画されているかどうかを判断する。ユーザ好みの番組が録画されていなければ、判断結果は「ＹＥＳ」になり、図２に示すステップＳＡ３に処理を戻す。
これに対し、ユーザ好みの番組が録画されていると、判断結果は「ＮＯ」になり、ステップＳＡ２７に進む。ステップＳＡ２７以降では、例えば図１１に図示する一例のように、待受画面のアイコン表示エリアＩＤＥに表示されるアイコンの操作に対応した処理を実行する。
【００３１】
すなわち、カーソルスイッチがオン操作されると、ステップＳＡ２７の判断結果が「ＹＥＳ」になり、ステップＳＡ２８に進み、待受画面のアイコン表示エリアＩＤＥに複数のアイコンが表示されていれば、アイコンのフォーカス位置を移動させる。そして、ステップＳＡ２９では、フォーカスされたアイコンに対応する記録データのキーワードおよびお薦め度を読み出す。すなわち、フォーカスされたアイコンの表示属性データおよび機能属性データをＲＡＭ１０４のアイコン属性記憶エリアから読み出す。そして、ステップＳＡ３０では、読み出した表示属性データおよび機能属性データに基づき、例えば図１１に図示する一例のように、「キーワード」および録画したユーザ好みの番組の「お薦め度」を待受画面内のポップアップ画面ＰＵで表示した後、図２に示すステップＳＡ３に処理を戻す。
【００３２】
そして、カーソルスイッチのオン操作に続いて、再生スイッチがオン操作されたとする。そうすると、ステップＳＡ３１の判断結果が「ＹＥＳ」になり、ステップＳＡ３２に進み、再生フラグＰＦに「１」をセットする。次いで、ステップＳＡ３３では、上記ステップＳＡ２９においてＲＡＭ１０４のアイコン属性記憶エリアから読み出した機能属性データを参照し、フォーカスされたアイコンに対応する記録データ（ユーザ好みの番組を録画した素材）の再生開始を録画再生部１１０に指示する。続いて、ステップＳＡ３４では、再生フラグＰＦが「１」であるか否か、つまり再生中であるかどうかを判断する。再生停止状態であれば、判断結果は「ＮＯ」になり、図２に示すステップＳＡ３に処理を戻す。
【００３３】
一方、再生中であると、判断結果が「ＹＥＳ」になり、ステップＳＡ３５に進む。そして、再生スイッチがオフ操作されると、ステップＳＡ３５の判断結果が「ＹＥＳ」になり、ステップＳＡ３６に進み、録画再生部１１０に再生停止を指示する。これにより、記録データ（ユーザ好みの番組を録画した素材）の再生が停止する。この後、ステップＳＡ３７に進み、再生フラグＰＦをゼロリセットして再生停止状態を表してから、前述のステップＳＡ２（図２参照）に処理を戻して待受画面表示状態に復帰する。
【００３４】
（２）待受画面表示処理の動作
次に、図５を参照して待受画面表示処理の動作を説明する。前述したメインルーチンのステップＳＡ２（図２参照）を介して本処理が実行されると、制御部１０２は図５に示すステップＳＢ１に進み、ＲＯＭ１０３から読み出した待受画面データをＲＡＭ１０４の表示エリア（待受画面エリア）にストアし、ストアされた待受画面データに基づき待受画面を表示部１０８に表示する。次いで、ステップＳＢ２では、記録データの有無、すなわち録画再生部１１０が受信部１０９の指示に従い、ユーザ好みの番組を録画したかどうかを判断する。ユーザ好みの番組を録画していなければ、判断結果は「ＮＯ」となり、本処理を完了させる。一方、ユーザ好みの番組を録画していると、判断結果が「ＹＥＳ」になり、ステップＳＢ３に進む。
【００３５】
ステップＳＢ３では、後述する受信部処理（図８参照）によって待受画面のアイコン表示エリアＩＤＥに表示されるアイコンの一つをフォカースし、続くステップＳＢ４では、フォーカスされたアイコンに対応する記録データのキーワードおよびお薦め度を読み出す。すなわち、フォーカスされたアイコンの表示属性データおよび機能属性データをＲＡＭ１０４のアイコン属性記憶エリアから読み出す。そして、ステップＳＢ５では、読み出した表示属性データおよび機能属性データに基づき、例えば図１１に図示する一例のように、「キーワード」および録画したユーザ好みの番組の「お薦め度」を待受画面内のポップアップ画面ＰＵで表示して本処理を完了させる。
【００３６】
（３）キーワード登録処理の動作
次に、図６を参照してキーワード登録処理の動作を説明する。前述したメインルーチンのステップＳＡ２５（図３参照）を介して本処理が実行されると、制御部１０２は図６に示すステップＳＣ１に進み、ＲＯＭ１０３から読み出したキーワード登録画面データをＲＡＭ１０４の表示エリアにストアし、ストアされたキーワード登録画面データに基づキーワード登録画面ＫＴＧを表示部１０８に表示する。
【００３７】
ここで、図１０に図示する一例を参照してキーワード登録画面ＫＴＧの構成を説明する。キーワード登録画面ＫＴＧは、状態表示領域Ａ１、入力表示領域Ａ２および操作ガイド表示領域Ａ３から構成される。状態表示領域Ａ１には電波状態や電池残量などが状態表示される。入力表示領域Ａ２には、ユーザ好みの番組を検索するためのキーワードを入力する入力エリアＩＥが配設される。入力エリアＩＥには、入力したキーワードが表示される。入力エリアＩＥに文字入力されるキーワードは、複数であっても構わない。複数のキーワードを入力する場合には、句点又はカンマをデリミタに用いる。そうして入力される複数のキーワードの論理和が検索キーワードとして扱われる。操作ガイド表示領域Ａ３は、機能対応キーを案内表示する。図１０に図示する一例の場合、「クリア」および「登録」と表示されている箇所に対応して配設される機能キースイッチがクリアスイッチ、登録スイッチに相当することを案内表示している。
【００３８】
こうしたキーワード登録画面ＫＴＧが表示部１０８に表示されると、制御部１０２は、ステップＳＣ２に処理を進め、文字入力カーソルを入力エリアＩＥに表示する。そして、ステップＳＣ３〜ＳＣ７では、キーワード登録画面ＫＴＧにおいて行われるキーワード登録操作（カーソルスイッチ操作、文字入力操作、登録スイッチ操作およびクリアスイッチ操作）に応じた処理を実行する。
すなわち、キーワード登録操作を取り止めるべくクリアスイッチをオン操作した場合には、ステップＳＣ７の判断結果が「ＹＥＳ」になり、前述したメインルーチンのステップＳＡ１７（図３参照）に処理を戻して機能リスト画面表示状態に復帰する。
【００３９】
一方、文字入力すると、ステップＳＣ３の判断結果が「ＹＥＳ」になり、ステップＳＣ４に進み、入力エリアＩＥに入力された文字（キーワード）を表示する。次いで、ステップＳＣ５では、文字入力に応じて文字入力カーソルを移動させる。こうして、キーワードを入力し終えて登録スイッチをオン操作すると、ステップＳＣ６の判断結果が「ＹＥＳ」となり、ステップＳＣ８に進み、入力されたキーワードを、ＲＡＭ１０４のキーワード登録エリアに登録した後、前述したメインルーチンのステップＳＡ１７（図３参照）に処理を戻して機能リスト画面表示状態に復帰する。
【００４０】
（４）着信報知処理の動作
次に、図７を参照して着信報知処理の動作を説明する。前述のメインルーチン実行中に着信があると、制御部１０２は図７に示すステップＳＤ１〜ＳＤ２を実行し、オフフックスイッチがオン操作されるまで着信報知する。そして、ユーザがオフフックスイッチをオン操作すると、ステップＳＤ２の判断結果が「ＹＥＳ」となり、ステップＳＤ３に進む。ステップＳＤ３〜ＳＤ４では、オンフックスイッチがオン操作されるまで通話処理を実行する。そして、ユーザがオンフックスイッチをオン操作すると、ステップＳＤ４の判断結果が「ＹＥＳ」となり、ステップＳＤ５に進み、終話処理を実行して本処理を完了させる。
【００４１】
（５）受信部処理の動作
次に、図８〜図９を参照して、受信部１０９が実行する受信部処理の動作を説明する。受信スイッチのオン操作に応じて、制御部１０２が受信部１０９をオン設定すると、受信部１０９は図８に示すステップＳＥ１に処理を進め、受信処理を実行する。受信処理では、ユーザ指定のチャンネルの放送を受信してＯＦＤＭ復調し、これより得られるトランスポートストリーム信号から番組パケット（ＭＰＥＧデータ）を分離抽出した後、その番組パケットから映像／音声データおよび文字放送データを復号する。続いて、ステップＳＥ２では、フラグＲＦが「０」であるか否かを判断する。フラグＲＦは、録画再生部１１０に録画の実行を指示している場合に「１」、録画の停止を指示している場合に「０」となるフラグである。したがって、このステップＳＥ２では、録画再生部１１０が録画停止中であるかどうかを判断する。以下、録画再生部１１０が録画停止中の場合と、録画中の場合とに分けて受信部１０９の動作を説明する。
【００４２】
＜録画再生部１１０が録画停止中の場合＞
録画再生部１１０が録画停止中であると、ステップＳＥ２の判断結果は「ＹＥＳ」になり、ステップＳＥ３に進む。ステップＳＥ３では、受信データ（番組パケット）内に文字データが有るか否かを判断する。つまり、文字放送データを含む番組を受信しているかどうかを判断する。文字放送データを含む番組を受信していなければ、判断結果は「ＮＯ」になり、上述のステップＳＥ１に処理を戻す。
【００４３】
一方、文字放送データを含む番組を受信していると、判断結果が「ＹＥＳ」となり、次のステップＳＥ４に進む。ステップＳＥ４では、ＲＡＭ１０４のキーワード登録エリアから読み出した登録キーワードが文字放送データに含まれているか否かを判断する。文字放送データに登録キーワードが含まれなければ、判断結果は「ＮＯ」になり、上述のステップＳＥ１に処理を戻すが、登録キーワードが含まれていると、ユーザ好みの番組と見做し、判断結果が「ＹＥＳ」となり、ステップＳＥ５に進む。ステップＳＥ５では、文字放送データに含まれる登録キーワードの出現回数をカウントするカウンタＣＴに「１」をセットする。次いで、ステップＳＥ６では、フラグＲＦに「１」をセットし、続くステップＳＥ７では、録画再生部１１０に録画開始を指示する。これにより、録画再生部１１０は、受信部１０９の受信出力、つまりユーザ好みと判断された番組パケットから復号して得る映像／音声データの録画を開始する。そして、この後、上述のステップＳＥ１に処理を戻す。
【００４４】
＜録画再生部１１０が録画中の場合＞
こうして、録画再生部１１０がユーザ好みの番組を録画し始めると、上述したステップＳＥ２の判断結果が「ＮＯ」になり、ステップＳＥ８に処理を進める。ステップＳＥ８では、録画中の番組が終了したか否かを判断する。番組未了であれば、判断結果は「ＮＯ」になり、図９に示すステップＳＥ９に進む。ステップＳＥ９〜ＳＥ１０では、上述のステップＳＥ３〜ＳＥ４（図８参照）と同様、文字放送データを含む番組であって、その文字放送データに登録キーワードが含まれるか否かを判断する。
【００４５】
文字放送データが欠落したり、あるいは文字放送データに登録キーワードが含まれない場合には、ステップＳＥ９，ＳＥ１０の判断結果がそれぞれ「ＮＯ」となり、上述のステップＳＥ１に処理を戻す。これに対し、文字放送データを含む番組であって、その文字放送データに登録キーワードが含まれていれば、ステップＳＥ９，ＳＥ１０の各判断結果は共に「ＹＥＳ」になり、ステップＳＥ１１に進む。ステップＳＥ１１では、文字放送データに登録キーワードが含まれる回数をカウントするカウンタＣＴをインクリメントして歩進させた後、上述のステップＳＥ１に処理を戻す。
【００４６】
そして、録画中の番組が終了すると、図８に示すステップＳＥ８の判断結果が「ＹＥＳ」になり、ステップＳＥ１２に進み、フラグＲＦをゼロリセットする。次いで、ステップＳＥ１３では、カウンタＣＴがカウントした登録キーワードの出現回数に基づき「お薦め度」を設定する。例えば、「お薦め度」のランクを「１」〜「５」とした場合、登録キーワードの出現回数が１回だけならランク１、２回ならランク２、３回ならランク３、とするように登録キーワードの出現回数に応じて「お薦め度」を設定する。次いで、ステップＳＥ１４では、設定した「お薦め度」を機能属性データとしてＲＡＭ１０４のアイコン属性記憶エリアにストアする。
【００４７】
続いて、ステップＳＥ１５では、ユーザ好みの番組を検索するのに用いた登録キーワードに対応付けるアイコンを選択し、そのアイコンの表示位置や当該アイコンを形成する画像データを指定する表示属性データをＲＡＭ１０４のアイコン属性記憶エリアにストアする。また、ステップＳＥ１５では、選択したアイコンに割り当てる登録キーワードと、記録データ（ユーザ好みの番組を録画した素材）を指定するデータとを、上記ステップＳＥ１４にてストアした「お薦め度」の機能属性データとしてＲＡＭ１０４のアイコン属性記憶エリアにストアする。こうして、ＲＡＭ１０４のアイコン属性記憶エリアに表示属性データおよび機能属性データが格納されると、受信部１０９は、ステップＳＥ１６に処理を進め、その表示属性データを参照して、例えば図１１に図示する一例のように、待受画面のアイコン表示エリアＩＤＥにアイコン表示した後、前述のステップＳＥ１に処理を戻す。
【００４８】
以上のように、本実施形態によれば、ユーザ好みの番組を検索するキーワードを予め登録しておき、文字放送データを含む番組を受信し、受信した文字放送データにキーワードが含まれていると、受信中の番組をユーザ好みと判断して録画し始め、番組終了するまで文字放送データに含まれるキーワードの出現回数を計数する。番組終了に応じて録画を停止し、計数したキーワードの出現回数に基づき「お薦め度」を設定する。そして、設定された「お薦め度」とキーワードとの画面表示を指示し、かつ録画した記録データを指定する機能を割り当てたアイコンを待受画面に表示する。このアイコンがフォーカスされると、例えば図１１に図示する一例のように、キーワードおよび録画したユーザ好みの番組の「お薦め度」がポップアップ表示されるので、ユーザ好みの番組を自動的に検索して録画したり、その録画した番組のお薦め度を教示したりすることができる。さらに、この状態で再生スイッチをオン操作すると、録画した記録データが再生されるため、ユーザ好みの番組をワンタッチ操作で再生させることも可能になる。
【００４９】
なお、本実施の形態では、通常のテレビ放送と文字放送とが同時に行われる地上デジタルテレビ放送を受信する受信部１０９を具備する携帯電話１０を一例としたが、本発明の要旨はこれに限定されず、例えばラジオ放送と文字放送とが多重化されたＦＭ放送などを受信する態様にも適用することができる。
さらに、本実施の形態では、キーワードを含む文字放送を受信したか否かでユーザ好みの番組であるか否かを判断するが、これに替えて、受信した電子番組表ＥＰＧにユーザ好みの番組を表すキーワードが含まれているかどうかで番組検索する態様にすることも勿論可能である。
【図面の簡単な説明】
【００５０】
【図１】本発明の実施の一形態である携帯電話１０の構成を示すブロック図である。
【図２】メインルーチンの動作を示すフローチャートである。
【図３】メインルーチンの動作を示すフローチャートである。
【図４】メインルーチンの動作を示すフローチャートである。
【図５】待受画面表示処理の動作を示すフローチャートである。
【図６】キーワード登録処理の動作を示すフローチャートである。
【図７】着信報知処理の動作を示すフローチャートである。
【図８】受信部処理の動作を示すフローチャートである。
【図９】受信部処理の動作を示すフローチャートである。
【図１０】キーワード登録画面ＫＴＧの一構成例を示す図である。
【図１１】待受画面に表示されるアイコンおよびポップアップ画面ＰＵの一例を示す図である。
【符号の説明】
【００５１】
１０  携帯電話
１０１  通信処理部
１０２  制御部
１０３  ＲＯＭ
１０４  ＲＡＭ
１０５  操作部
１０６  マイク
１０７  スピーカ
１０８  表示部
１０９  受信部
１１０  録画再生部
【図１】
2005340880.tif 000003
【図２】
2005340880.tif 000004
【図３】
2005340880.tif 000005
【図４】
2005340880.tif 000006
【図５】
2005340880.tif 000007
【図６】
2005340880.tif 000008
【図７】
2005340880.tif 000009
【図８】
2005340880.tif 000010
【図９】
2005340880.tif 000011
【図１０】
2005340880.tif 000012
【図１１】
2005340880.tif 000013